(57)【要約】移動体機器が１つの位置エリアから別の位置エリアへ移動するとき、移動体機器はこれらの位置エリアにおいて無線ネットワークによってブロードキャストされた異なる位置識別子を検出する。移動体機器は移動体機器が位置していた最終位置エリアの位置識別子を保存する。受信した位置識別子を保存した位置識別子と比較することによって、移動体機器は移動体機器が新しい位置エリアに入ったかどうかを判断する。新しい位置エリアに入った場合、移動体機器は位置更新要求を送信する。一実施形態では、位置更新要求が移動体機器によるアクセスが制限される位置エリアに対するものである場合、ネットワークは移動体機器をトリガする移動体機器への通信情報を送信して、移動体機器に保存された位置識別子を制限された位置エリアの位置識別子に更新して、移動体が異なる位置エリアに入った後に／異なる位置エリアを選択した後にネットワークを更新することができるようにする。
2011525325.tif 000002
【特許請求の範囲】
【請求項１】
移動体機器（１２０）から、前記移動体機器（１２０）によるアクセスが制限される位置エリア（１１５）の位置更新要求を受信するステップ、
前記位置更新要求に応じて、前記移動体機器をトリガする通信情報を前記移動体機器（１２０）に送信して、前記移動体機器（１２０）に保存されている位置識別子を前記制限された位置エリア（１１５）の位置識別子に更新するステップ
を備える方法。
【請求項２】
請求項１記載の方法であって、前記通信情報が、前記移動体機器（１２０）を識別するための識別子である方法。
【請求項３】
請求項２記載の方法であって、前記識別子が、前記制限された位置エリア（１１５）と関連する一時的移動体加入者識別子（ＴＭＳＩ）である方法。
【請求項４】
請求項３記載の方法であって、
前記送信するステップの前に、前記移動体機器（１２０）に送信される情報及び前記移動体機器（１２０）から受信される情報に暗号化を設定するセキュリティ手順を開始するステップをさらに備える方法。
【請求項５】
移動体機器（１２０）から、前記移動体機器（１２０）によるアクセスが制限される位置エリア（１１５）の位置更新要求を受信するステップ、
前記位置更新要求に応じて、前記移動体機器（１２０）に、前記制限された位置エリア（１１５）と関連する一時的移動体加入者識別子（ＴＭＳＩ）を割り当てて送信するステップ
を備える方法。
【請求項６】
請求項５記載の方法であって、
前記送信するステップの前に、前記移動体機器（１２０）に送信される情報及び前記移動体機器（１２０）から受信される情報に暗号化を設定するセキュリティ手順を開始し、前記ＴＭＳＩは前記セキュリティ手順が開始された後に前記移動体機器（１２０）に送信されるステップ
をさらに備える方法。
【請求項７】
請求項６記載の方法であって、
前記移動体機器（１２０）に位置更新拒否メッセージを送信し、前記位置更新拒否メッセージが送信される前に前記ＴＭＳＩが送信されるステップ
をさらに備える方法。
【請求項８】
移動体機器（１２０）から、前記移動体機器（１２０）によるアクセスが制限される位置エリア（１１５）の位置更新要求を送信するステップ、
前記移動体機器（１２０）において通信情報を受信するステップ、及び
前記受信された通信情報に応じて、前記移動体（１２０）機器に保存された位置識別子を前記制限された位置エリア（１１５）の前記位置識別子に更新するステップ
を備える方法。
【請求項９】
請求項８記載の方法であって、前記通信情報が、前記移動体機器（１２０）を識別するための識別子である方法。
【請求項１０】
請求項９記載の方法であって、前記識別子が、前記制限された位置エリア（１１５）と関連する一時的移動体加入者識別子（ＴＭＳＩ）である方法。
【発明の詳細な説明】
【技術分野】
【０００１】
本発明の例示的諸実施形態は、概して無線ネットワーク及び制限されたエリアにおけるローミングを処理することに関する。
【背景技術】
【０００２】
無線ネットワークは移動体機器が有線／無線通信ネットワークと通信するカバレッジを提供する。多くの異なる無線サービスプロバイダによって運営される多くの無線ネットワークがある。１つの無線プロバイダに加入している移動体機器が別の無線プロバイダの無線ネットワーク上で通信できるようにするプロセスは、ローミングと呼ばれる。
【０００３】
無線ネットワークはカバレッジエリアを複数のさらに小さい地理的エリアに分割する。ＧＳＭプロトコルに従う無線ネットワークでは、これらのエリアは位置エリアと呼ばれる。移動体機器が１つの位置エリアから新しい位置エリアへ移動するとき、移動体機器は位置更新手続きを行うことによって、無線ネットワークに移動体機器の現在の新しい位置エリアを通知する。
【０００４】
位置更新手続き中に移動体機器は、位置更新要求、この移動体機器と関連する識別子、及びこの移動体機器の最終位置の表示を無線ネットワークに送信することができる。無線ネットワークはこの情報を使用して、移動体機器のホームネットワークと交信することができる。無線ネットワークが無線機器のホームネットワークと交信すると、無線ネットワークはローミング中の移動体機器にサービスを提供するべきかどうかを判断することができる。無線ネットワークがローミング中の移動体機器は制限されたエリアに位置していると判断し、ローミング中の移動体機器にサービスを提供しないことを決定する場合、無線ネットワークは移動体機器によって送信された位置更新要求に位置更新拒否メッセージで応答する。制限された位置エリアは、移動体機器によるアクセスが制限される位置エリアである。無線ネットワークによって使用される方法に基づいて位置更新要求に応じると、移動体機器は移動体機器が非制限位置エリアに戻った場合でも着呼の受信を妨げられる可能性がある。
【発明の概要】
【課題を解決するための手段】
【０００５】
本発明は、制限されたエリアへの、及び制限されたエリアからの、移動体機器のローミングに関する。
【０００６】
移動体機器が１つの位置エリアから別の位置エリアへ移動するとき、移動体機器は、それらの位置エリア中の（１つ以上の）無線ネットワークによってブロードキャストされる異なる位置識別子を検出する。移動体機器は、移動体機器が位置していた最終位置エリアの位置識別子を保存する。受信した位置識別子を保存した位置識別子と比較することによって、移動体機器は、移動体機器が新しい位置エリアに入ったかどうかを判断することができる。新しい位置エリアに入った場合、移動体機器は位置更新要求を送信する。
【０００７】
１つの実施形態では、位置更新要求が、移動体機器によるアクセスが制限される位置エリアに対するものである場合、ネットワークは移動体機器をトリガする移動体機器への通信情報を送信して、移動体機器に保存された位置識別子を制限された位置エリア用の位置識別子に更新する。例えば、通信情報は、制限された位置エリアと関連する一時的な移動体加入者識別子のような移動体機器の識別子であることが可能である。このトリガを送信した後に、ネットワークは移動体機器にアクセスが制限されていることを通知する。１つの実施形態では、移動体機器から受信され、移動体機器に送信される情報に対して暗号化を設定することができるセキュリティ手順が開始された後に、トリガする通信情報が送信される。この方法では、位置エリアが制限されていても、移動体機器は移動体機器に保存された位置識別子を更新することができ、これは、移動体機器が制限された位置エリアを離れた場合、移動体機器のローミングをより効率的に処理することを促すことができる。
【０００８】
本発明の例示的諸実施形態は、以下に提供する詳細な説明、及び同様の要素が同様の参照符号で表される添付の図面からより十分に理解されるようになるであろうが、これらは単に説明の目的で提供されるものであり、従って本発明を限定するものではない。
【図面の簡単な説明】
【０００９】
【図１】ＧＳＭプロトコルに従った無線システムを示す図である。
【図２】移動体機器が無線ネットワークを用いて位置の更新を開始する方法を示すフローチャートである。
【図３】無線ネットワークにおいて位置更新要求を処理する方法を示すフローチャートである。
【図４】位置更新要求を送信した後に移動体機器１２０によって行われる処理のフローチャートである。
【図５】位置更新要求を送信した後に移動体機器１２０によって行われる処理のフローチャートである。
【図６】位置更新要求を送信した後に移動体機器１２０によって行われる処理のフローチャートである。
【図７】別の実施形態により位置更新要求を処理する方法を示すフローチャートである。
【図８】別の例示的実施形態によるＧＳＭプロトコルに従った無線システム又はネットワークを示す図である。
【発明を実施するための形態】
【００１０】
次に本発明のいくつかの例示的実施形態を示す添付の図面を参照して、本発明の様々な例示的実施形態をさらに十分に説明する。図面において、層及び領域の厚みは、明確にするために誇張している。
【００１１】
本発明の詳細な例示的実施形態を本明細書に開示する。しかしながら、本明細書に開示する特定の構造及び機能の詳細は、単に本発明の例示的実施形態を記述する目的で示している。本発明はしかしながら、多くの代替形態で実施されることが可能であり、本明細書に示した実施形態のみに限定されると解釈されるべきではない。
【００１２】
従って、本発明の例示的実施形態は、様々な変更形態及び代替形態が可能であり、その諸実施形態が例として図面に示されており、本明細書で詳細に説明される。しかしながら、本発明の例示的実施形態を、開示される特定の形態に限定するものではなく、反対に、本発明の例示的実施形態は本発明の範囲内に入るすべての変更物、均等物、変形物を含むことになると理解すべきである。図面の記載を通して同じ数字は同じ要素を指す。
【００１３】
第１、第２などの用語は、本明細書では様々な要素を説明するために使用される場合があり、これらの要素はこれらの用語に限定されるべきではないことを理解されるであろう。これらの用語は、単に１つの要素を別の要素と区別するために使用される。例えば、本発明の例示的実施形態の範囲から逸脱することなく、第１の要素が第２の要素と呼ばれることがあり、同様に第２の要素が第１の要素と呼ばれることがある。本明細書で使用される「及び／又は」という用語は、列挙された関連する項目の１つ以上のありとあらゆる組合せも含む。
【００１４】
要素が別の要素に「接続される」又は「結合される」と言われるとき、この要素は別の要素に直接接続又は結合される可能性があり、あるいは介在要素が存在する場合があることを理解されるであろう。逆に、要素が別の要素に「直接接続される」又は「直接結合される」と言われるとき、介在要素は存在しない。要素間の関係を説明するために使用される他の用語も、同様の方法で解釈されるべきである（例えば、「間に」に対して「直接間に」、「隣接して」に対して「直接隣接して」など）。
【００１５】
本明細書で使用される用語は、単に特定の実施形態を説明する目的であって、本発明の例示的諸実施形態を限定することを意図されていない。本明細書で使用される単数形（「ａ」、「ａｎ」、及び「ｔｈｅ」）は、文脈上明白に他の意味を示す場合を除いて、複数形も含むことを意図されている。「備える」、「備えている」、「含む」、及び／又は「含んでいる」という用語は、本明細書で使用されるとき、明示された特徴、完全体、ステップ、動作、要素、及び／又は構成要素の存在を明記するが、１つ以上の他の特徴、完全体、ステップ、動作、要素、構成要素、及び／又はそのグループの存在又は追加を排除しないことを、さらに理解されるであろう。
【００１６】
また、いくつかの代替的な実施では、示した機能／活動が図に示した順序を外れて起こる場合があることに留意されたい。例えば、連続して示した２つの図は、実際には実質的に同時に行われる場合があり、又は時として関与する機能／活動に応じて、逆の順序で行われる場合がある。
【００１７】
本明細書で使用される「移動体」という用語は、移動体機器と同義とみなされることが可能であり、以下では場合によっては移動体機器、移動局、移動体ユーザ、ユーザ機器（ＵＦ）、加入者、ユーザ、リモート局、アクセス端末、レシーバなどと呼ばれる場合があり、無線通信ネットワークにおける無線リソースの遠隔ユーザを表現することができる。「基地局」という用語は、無線基地局（ＢＴＳ）、Ｎｏｄｅ  Ｂ、拡張Ｎｏｄｅ  Ｂ、フェムトセル、アクセスポイントなどと同義とみなされる、及び／又は呼ばれる場合があり、ネットワークと１人以上のユーザとの間でデータ及び／又は音声接続用の無線ベースバンド機能を提供する機器を表現することができる。
【００１８】
図１は、例示的実施形態によるＧＳＭプロトコル１００に従った無線システム又はネットワークを示す。システム１００は、ＧＳＭプロトコルに従っているとして表現しているが、システム１００はＧＳＭプロトコルに従うことに限定されない。例えばシステム１００はＵＭＴＳプロトコルに従う場合もある。
【００１９】
無線ネットワーク１００は、移動体機器１２０のホーム位置レジスタ（ＨＬＲ）１０１、ＨＬＲ１０１と接続された移動交換局／在圏位置レジスタ（ＭＳＣ／ＶＬＲ）１０５、ならびにＭＳＣ／ＶＬＲ１０５と通信している第１の基地局１１１及び第２の基地局１１６を含むことができる。第１の位置エリア１１０は、基地局１１１によってカバーされる地理的エリアである場合があり、第２の位置エリア１１５は基地局１１６によってカバーされる地理的エリアである場合がある。しかしながら、第１の位置エリア１１０は２つ以上の基地局によってカバーされる地理的エリアである場合があり、及び／又は第２の位置エリア１１０は、２つ以上の基地局によってカバーされる地理的エリアである場合があると理解されるであろう。
【００２０】
この説明の目的で、第１の位置エリア１１０は移動体機器１２０に対して許可された位置エリアであり、移動体機器１２０が第１の位置エリア１１０にローミングすることを許可されることを意味し、第２の位置エリア１１５は移動体機器１２０に対して制限されたエリアであり、第２の位置エリア１１５が移動体機器によるアクセスが制限される位置エリアであることを意味する。ＨＬＲ１０１は移動体機器１２０のＨＬＲであることが可能である。
【００２１】
次に、図１に示す無線ネットワークの動作について、図２〜６のフローチャートを参照して説明する。
【００２２】
図２は、移動体機器が無線ネットワークを用いて位置の更新を開始する方法を示すフローチャートである。
【００２３】
図２を参照すると、ステップＳ２０５において移動体機器１２０は、移動体機器１２０が位置している位置エリアの位置エリア識別情報（ＬＡＩ）を受信する。周知のように、例えばＧＳＭ規格では、各位置エリアは、ＬＡＩと呼ばれる関連識別子を有し、位置エリアと関連する基地局がブロードキャストチャネルを通じてＬＡＩを送信する。
【００２４】
移動体機器１２０はステップＳ２１０において、ブロードキャストチャネル中の受信したＬＡＩを移動体機器１２０に保存されたＬＡＩと比較する。移動局１２０は、保存されたＬＡＩを有する場合があり、又は保存されたＬＡＩがない場合がある。保存されたＬＡＩは、移動体機器１２０が位置していた最終位置エリアのＬＡＩである。受信されたＬＡＩが保存されたＬＡＩと同じである場合、移動体機器１２０は移動体機器１２０が新しい位置エリアに入っていないと判断し、処理はステップＳ２０５に戻る。
【００２５】
一方、移動体機器１２０が、受信されたＬＡＩは保存されたＬＡＩと一致しないと判断する、又は移動体機器１２０に保存されたＬＡＩがない場合、移動体機器１２０は移動体機器１２０が新しい位置エリアに入ったと判断し、ステップＳ２１５において位置更新要求を送信する。
【００２６】
移動体機器１２０は、基地局（例えば基地局１１１又は１１６）を介してＭＳＣ／ＶＬＲ１０５へ位置更新要求を送信し、移動体機器が位置更新要求を送信している位置エリアにローミングする許可を要求する。位置更新要求は、移動体機器１２０に割り当てられた現在の一時的移動体加入者識別情報（ＴＭＳＩ）を含み、また移動体機器に前の位置情報、即ちＴＭＳＩがない場合は、移動体機器の最終位置を示す情報（例えば、保存されたＬＡＩ）を含み、この場合、位置更新要求の中で前の位置情報は送信されない。
【００２７】
図３は、位置更新要求を処理する方法を示すフローチャートである。図のように、ステップＳ３０５では、ＭＳＣ／ＶＬＲ１０５は、移動体機器１２０から位置更新要求を受信する。ステップＳ３１０では、ＭＳＣ／ＶＬＲ１０５は位置更新要求中の情報を使用して、移動体機器１２０が認識されるかどうかを判断する。
【００２８】
位置更新要求中の位置情報が、移動体機器１２０の前の位置情報を含んでいない、又は位置情報（例えば、ＬＡＩ）が移動体機器１２０は別のＭＳＣ／ＶＬＲと関連する位置エリアから移動していることを示す場合、ＭＳＣ／ＶＬＲ１０５は移動体機器１２０を認識しない。ＭＳＣ／ＶＬＲ１０５が移動体機器１２０を認識しない場合、ステップＳ３１５においてＭＳＣ／ＶＬＲ１０５は、ＨＬＲ１０１及び移動体機器１２０と共に任意の周知の認証プロセスを行い、ＨＬＲ１０１から移動体機器１２０に関する加入者情報を取得する。例えば、ＧＳＭ規格で指定される認証手順が行われることが可能である。さらに、ＨＬＲ１０１は、移動体機器１２０に対応するＨＬＲ１０１に保存された位置情報を更新する。ステップＳ３１５の後に、処理はステップＳ３２０へ進む。
【００２９】
ステップＳ３１０に戻ると、位置情報（例えばＬＡＩ）が、移動体機器１２０が同じくＭＳＣ／ＶＬＲ１０５と関連する別の位置エリアから移動していることを示す場合、ＭＳＣ／ＶＬＲ１０５は移動体機器１２０を認識し、処理はステップＳ３２０に進む。
【００３０】
ステップＳ３２０では、ＭＳＣ／ＶＬＲ１０５は、移動体機器１２０がローミング制限に基づいて位置更新要求を送信している位置エリアにローミングすることを許可されるかどうかを判断する。ＭＳＣ／ＶＬＲ１０５が、移動体機器１２０が制限されたエリアでローミングを試みていると判断する場合、ＭＳＣ／ＶＬＲ１０５はステップＳ３２５において移動体機器１２０に位置更新拒否メッセージを送信し、移動体機器１２０に対応する「ＬＡ不許可」フラグを保存する。移動体機器１２０が終点となり、ＨＬＲ１０１からＭＳＣ／ＶＬＲ１０５へルーティングされる呼は、「ＬＡ不許可」フラグが設定される間はＭＳＣ／ＶＬＲ１０５によって移動体機器１２０に配信されない。従って移動体機器１２０は、制限された位置エリア１１５にいる間は呼を受信することができない。
【００３１】
一例として、移動体機器１２０が制限された第２の位置エリア１１５にローミングする場合、ＭＳＣ／ＶＬＲ１０５は位置更新拒否メッセージを送信する。
【００３２】
ＭＳＣ／ＶＬＲ１０５はいくつかの理由から、移動局がある位置エリアにおいてローミングを許可されていないと判断し、位置更新拒否メッセージを発行することができる。位置更新拒否の理由は、位置更新拒否メッセージに含まれることが可能である。例えば、ＭＳＣ／ＶＬＲ１０５は、移動体機器１２０に対応する加入者情報に基づいて、移動体機器１２０がこの位置エリアにおいてローミングを許可されていないと判断することができる。この場合、ＭＳＣ／ＶＬＲ１０５は、ＧＳＭプロトコルによって指定された＃１３「この位置エリアではローミング不許可」理由のような理由と共に位置更新拒否メッセージを発行することができる。別の例として、ＭＳＣ／ＶＬＲ１０５は、第２の位置エリア１１５には移動体機器１２０が通信で利用することができる利用可能なセルがないと判断する場合がある。この場合、ＭＳＣ／ＶＬＲ１０５は、ＧＳＭプロトコルで指定された＃１５「位置エリアに適切なセルなし」理由のような理由と共に位置更新拒否メッセージを発行することができる。
【００３３】
ステップＳ３２０に戻ると、ＭＳＣ／ＶＬＲ１０５が、移動体機器１２０は位置更新要求を送信しているこの位置エリアでローミングを許可されると判断する場合、処理はステップＳ３３０に進む。
【００３４】
ステップＳ３３０では、ＭＳＣ／ＶＬＲ１０５は移動体機器１２０のセキュリティ／暗号化手順を開始する。ステップＳ３３０で行われるセキュリティ／暗号化手順は、ＵＭＴＳプロトコルで指定されるセキュリティ手順、ＧＳＭプロトコルで指定される暗号化手順など、移動体機器１２０とＭＳＣ／ＶＬＲ１０５との間で送信される情報の機密性を確保するいかなる既知の無線ネットワークセキュリティ手順とすることも可能であることを当業者は理解するであろう。例えば、ステップＳ３３０によって行われるセキュリティ手順は、ＭＳＣ／ＶＬＲ１０５から移動体機器１２０に送信される情報に、及び移動体機器１２０から送信されＭＳＣ／ＶＬＲ１０５によって受信された情報に、暗号化を設定することができる。
【００３５】
ステップＳ３３３では、ＭＳＣ／ＶＬＲ１０５は、ＬＡ許可フラグを設定して移動局１２０がこの位置エリアにおけるローミングを許可されることを示す。このフラグの設定は、ステップＳ３３０の前に、又はステップＳ３３０と同時に行われることが可能であることを理解されるであろう。
【００３６】
セキュリティ／暗号化手順後に、ＭＳＣ／ＶＬＲ１０５はステップＳ３３５において移動体機器１２０に新しいＴＭＳＩを割り当て、このＴＭＳＩを移動体機器１２０に確実に送信する。ＴＭＳＩは、ＭＳＣ／ＶＬＲ１０５において、移動体機器１２０が位置更新要求を送信した位置エリアと関連付けられる。ＭＳＣ／ＶＬＲ１０５はステップＳ３３５において位置更新受諾メッセージ中でＴＭＳＩを移動体機器１２０に送信することができ、又はＴＭＳＩを送信した後に、位置更新受諾メッセージを別個に送信することができる。
【００３７】
一例として、移動体機器１２０が許可された位置エリア１１０に入る、又はローミングし、ＭＳＣ／ＶＬＲ１０５へ位置更新要求を送信する場合、ＭＳＣ／ＶＬＲ１０５は移動体機器１２０にＴＭＳＩ及び位置更新受諾メッセージを送信する。
【００３８】
次に、図４〜６のフローチャートを参照して、位置更新を開始後の移動体機器１２０の動作について、説明する。図４〜６のフローチャートは、位置更新要求を送信した後に移動体機器１２０によって行われる処理を示している。
【００３９】
図４に示すように、移動体機器１２０はステップＳ４１０において、ＴＭＳＩ及び／又は位置更新受諾メッセージが受信されたかどうかを判断する。受信されていない場合、処理はステップＳ４１０に戻る。ＴＭＳＩ及び／又は位置更新受諾メッセージが受信された場合、ステップＳ４１５において移動体機器１２０は、保存されたＬＡＩをステップＳ２０５で受信されたＬＡＩに更新する。即ち、ＴＭＳＩ（及び／又は位置更新受諾メッセージ）の受信が、例えば移動体機器１２０をトリガして、保存されたＬＡＩを移動体機器１２０が位置更新要求を送信した位置エリアのＬＡＩに更新する。
【００４０】
図５に示すように、移動体機器１２０はまたステップＳ５１０において、位置更新拒否メッセージが受信されたかどうかを判断する。受信されていない場合、処理はステップＳ５１０に戻る。一方、位置更新拒否メッセージが受信された場合、ステップＳ５１５において移動体機器１２０は保存されたＬＡＩを更新しない。この状況では、移動体機器１２０が保存されたＬＡＩと関連する位置エリアに戻る場合、移動体機器１２０は位置更新要求を送信しない。結果として、ＭＳＣ／ＶＬＲ１０５は、移動体機器１２０の新しい位置を通知されず、移動体機器１２０は許可された位置エリアにおいて呼を受信することができない。
【００４１】
図６は、図５の実施形態の代替的実施形態を示す。図６では、ステップＳ６１５がステップＳ５１５に取って代わる。従って、位置更新拒否メッセージが受信された場合、ステップＳ６１５において移動体機器１２０は保存されたＬＡＩを消去する。この実施形態では、移動体機器１２０が（消去の前に）先に保存されたＬＡＩと関連する位置エリアに戻る場合、移動体機器１２０は位置更新要求を送信する。結果として、ＭＳＣ／ＶＬＲ１０５は移動体機器１２０の新しい位置を通知される。一方、上述のようにＭＳＣ／ＶＬＲ１０５は、ステップＳ３１５の認証及びＨＬＲを更新する処理を行う必要がある。
【００４２】
次に、別の実施形態による、図１に示す無線ネットワークの動作について、図２、４〜５、及び７のフローチャートを参照して説明する。
【００４３】
この実施形態では、移動体機器１２０は、図２を参照して上述したように、無線ネットワークを用いて移動体機器の位置の更新を開始する。一方、位置更新要求は、図７に示すようにＭＳＣ／ＶＬＲにおいて処理される。
【００４４】
図７に示す位置更新要求を処理する実施形態は、移動体機器１２０が制限された位置エリアにあるとＭＳＣ／ＶＬＲ１０５が判断する場合にステップＳ３２５の代わりにステップＳ７００〜Ｓ７１５が行われることを除いて、図３に示す実施形態と同じものである。
【００４５】
図のように、移動体機器１２０が制限された位置エリアにあるとＭＳＣ／ＶＬＲ１０５が判断する場合、ステップＳ７００においてＭＳＣ／ＶＬＲは「ＬＡ不許可」フラグを設定する。次に、ステップＳ７０５においてＭＳＣ／ＶＬＲは、ステップＳ３３０に関して上述したものと同じ方法で、ＵＭＴＳのセキュリティ手順、ＧＳＭの暗号化手順などを開始する。
【００４６】
Ｓ７０５に続いてステップＳ７１０では、ＭＳＣ／ＶＬＲ１０５はさらに移動体機器１２０にＴＭＳＩを割り当てて確実に送信する。割当ては、位置更新受諾メッセージが送信されず、ＴＭＳＩが制限された第２の位置エリア１１５と関連することを除いて、ステップＳ３３５に関して上述したものと同じ方法であることが可能である。
【００４７】
ＴＭＳＩを移動体機器１２０に送信した後に、ステップＳ７１５においてＭＳＣ／ＶＬＲ１０５は位置更新拒否メッセージを送信する。
【００４８】
この実施形態では、位置更新要求を送信後に、移動体機器１２０は図４及び５のプロセスを行う。移動体機器１２０が制限された位置エリアにある場合でも、ＭＳＣ／ＶＬＲ１０５はＴＭＳＩを移動体機器１２０に送信するので、移動体機器１２０は図４のステップＳ４１０においてトリガされ、ステップＳ４１５において保存されたＬＡＩを制限された位置エリアのＬＡＩに更新する。
【００４９】
位置更新拒否メッセージはＴＭＳＩの後に受信され、図５のステップＳ５１０及びＳ５１５において移動体機器は、制限された位置エリアの保存されたＬＡＩが変更されないようにする。
【００５０】
この実施形態では、移動体機器１２０が（制限された位置エリアのＬＡＩと置換する前に）先に保存されたＬＡＩと関連する位置エリアに戻る場合、移動体機器１２０は位置更新要求を送信する。その結果、ＭＳＣ／ＶＬＲ１０５は移動体機器１２０の新しい位置を通知される。さらに、上記のように、ＭＳＣ／ＶＬＲ１０５はステップＳ３１５の認証プロセスを行う必要がない。この結果、より効率的かつ消費時間の少ないローミングとなる。
【００５１】
図８は、別の例示的実施形態によるＧＳＭプロトコルに従った無線システム又はネットワークを示す。
【００５２】
システム８００はＧＳＭプロトコルに従っているとしているが、システム８００はＧＳＭプロトコルに従うことに限定されない。例えばシステム８００はＵＭＴＳプロトコルに従う場合がある。
【００５３】
無線ネットワーク８００は、第２の基地局１１６が第２のＭＳＣ／ＶＬＲ８０５と通信していることを除いて、図１の無線ネットワーク１００と同じものである。従って、第１の位置エリア１１０及び第２の位置エリア１１５は異なるＭＳＣ／ＶＬＲと関連している。
【００５４】
無線ネットワーク８００の動作は、次の例外を有する無線ネットワーク１００の動作と同じものである。図３を参照して上述したように、第１の位置エリア１１０及び第２の位置エリア１１５は異なるＭＳＣ／ＶＬＲと関連しているので、移動体１２０が第１の位置エリア１１０を離れて第２の位置エリア１１５に入るとき、第２のＭＳＣ／ＶＬＲ８０５は移動体ユニット１２０を認識しない。従って、上述のように、ステップＳ３１５においてＨＬＲ１０１を用いて認証プロセスが開始され、ＨＬＲ１０１は、移動体機器１２０に対応するＨＬＲ１０１に保存された位置情報を更新する。このように、ＭＳＣ／ＶＬＲ１０５が第１の位置エリア１１０に移動体機器１２０の存在に気づかないだけでなく、移動体機器１２０が第１の位置エリア１１０に再び入る際に更新メッセージを送信しない場合、ＨＬＲ１０１は移動体機器１２０に対応する誤った位置情報を保存し、移動体機器１２０は呼を受信することができない。対照的に、無線ネットワーク８００が図７に関して上述したように動作し、ＨＬＲ１０１がステップＳ３１５において更新する場合、保存されたＬＡＩは、制限された位置エリア１１５のＬＡＩに置き換えられる。よって移動体機器１２０は、第１の位置エリア１１０に再び入る際に位置更新メッセージを送信しない。
【００５５】
本発明を上記のように説明しているが、同様のものが様々な方法で変更可能であることは明らかである。このような変形形態は本発明からの逸脱とみなされてはならず、このような変更形態はすべて本発明の範囲内に含まれるものとする。
【図１】
2011525325.tif 000003
【図２】
2011525325.tif 000004
【図３】
2011525325.tif 000005
【図４】
2011525325.tif 000006
【図５】
2011525325.tif 000007
【図６】
2011525325.tif 000008
【図７】
2011525325.tif 000009
【図８】
2011525325.tif 000010
【国際調査報告】
2011525325.tif 000011
2011525325.tif 000012
2011525325.tif 000013